(57)【要約】【課題】容器としての信頼性を維持し、組立て装置を用いた場合であっても容易に成形することができる、園芸用容器を提供することにある。【解決手段】底部谷折れ線Ｂ１、側部山折れ線Ｂ２および側部谷折れ線Ｂ３に沿って素材を折り曲げ、重ね合わせ面Ｓを第１側壁面１０２と第２側壁面１０３との間に挟みこむことにより、底部領域１０１から第１側壁面１０２および第２側壁面１０３を起立させることで、園芸用容器の形態が得られる。【選択図】図７
2010178639.tif 000002
【特許請求の範囲】
【請求項１】
素材(100A)を折り曲げ成形して得られる園芸用容器であって、
前記素材(100A)は展開した状態で円形形状であり、
前記素材の当該園芸用容器の底部領域(101)は略正多角形の形状を有し、
前記底部領域(101)の輪郭に沿って底部谷折れ線(B1)を有し、
前記底部領域(101)のそれぞれの角部(C1)には、この角部(C1)から半径方向に延びる側部山折れ線(B2)と側部谷折れ線(B3)とを有し、
前記各角部(C1)、前記側部山折れ線(B2)および前記側部谷折れ線(B3)により囲まれた領域で略三角形状の重ね合わせ面（S)が形成され、
前記底部谷折れ線(B1)、前記側部山折れ線(B2)および前記側部谷折れ線(B3)に沿って前記素材(100A)を折り曲げ、前記重ね合わせ面（S)を前記底部領域(101)から起立した素材に重ね合せることにより容器の形態を成形する、園芸用容器。
【請求項２】
前記側部山折れ線(B2)と前記側部谷折れ線(B3)とは、各前記角部(C1)において、隣り合う前記角部(C1)において隣接するように設けられ、
前記底部谷折れ線(B1)と、隣り合う前記角部(C1)から延びる２本の前記側部山折れ線(B2)とにより囲まれた領域で第１側壁面(102)が形成され、
前記底部谷折れ線(B1)と、隣り合う前記角部(C1)から延びる２本の前記側部谷折れ線(B3)とにより囲まれた領域で第２側壁面(103)が形成され、
前記底部谷折れ線(B1)、前記側部山折れ線(B2)および前記側部谷折れ線(B3)に沿って前記素材(100A)を折り曲げ、前記重ね合わせ面（S)を第１側壁面(102)と第２側壁面(103)との間に挟みこむことにより、前記底部領域(101)から前記第１側壁面(102)および前記第２側壁面(103)を起立させた、請求項１に記載の園芸用容器。
【請求項３】
前記第１側壁面(102)の外面と前記重ね合わせ面（S)の外面とが固着される、請求項２に記載の園芸用容器。
【請求項４】
前記底部領域(101)は、正四角形、正六角形、または、正八角形の形状を有する、請求項１から３のいずれかに記載の園芸用容器。
【請求項５】
前記素材(100A)は、生分解性材料である、請求項１から４のいずれかに記載の園芸用容器。
【請求項６】
前記素材(100A)は、板紙である、請求項１から４のいずれかに記載の園芸用容器。
【請求項７】
当該園芸用容器は貫通孔(101h)を有する、請求項６に記載の園芸用容器。
【発明の詳細な説明】
【技術分野】
【０００１】
本発明は、園芸用容器に関し、たとえば、素材を折り曲げ成形して得られる園芸用容器に関する。
【背景技術】
【０００２】
素材を折り曲げ成形して得られる園芸用容器に関する技術として、下記特許文献１に開示される容器が挙げられる。
【先行技術文献】
【特許文献】
【０００３】
【特許文献１】特開２００４−３２９０１３号公報
【発明の概要】
【発明が解決しようとする課題】
【０００４】
上記特許文献１に開示される容器は、展開状態では、底部となる領域から放射状に延伸した側面となる領域を有し、形成時においては、側面となる領域の隣り合う辺を接合することにより、容器としての形態が維持されている。
【０００５】
しかし、上記構成においては、形成時に側面となる領域の隣り合う辺を位置決めして重ね合せる必要がある。これらの作業を手作業で行なう場合には多くの作業時間が必要となる。また、重ね合せ部に隙間が生じた場合には、容器内部への収容物がその隙間から外部に漏れ出るおそれがある。また、組立て装置を用いて、容器を成形することも考えられるが、展開状態において、放射状の形態を有することから素材に方向性があり、組立て装置に対する素材の位置決めを正確に行なう必要がある。
【０００６】
したがって、本発明の目的は、容器としての信頼性を維持し、組立て装置を用いた場合であっても容易に成形することができる、園芸用容器を提供することにある。
【課題を解決するための手段】
【０００７】
この発明に基づいた園芸用容器においては、素材を折り曲げ成形して得られる園芸用容器であって、上記素材は展開した状態で円形形状であり、上記素材の当該園芸用容器の底部領域は略正多角形の形状を有し、上記底部領域の輪郭に沿って底部谷折れ線を有し、上記底部領域のそれぞれの角部には、この角部から半径方向に延びる側部山折れ線と側部谷折れ線とを有し、上記各角部、上記側部山折れ線および上記側部谷折れ線により囲まれた領域で略三角形状の重ね合わせ面が形成され、上記底部谷折れ線、上記側部山折れ線および上記側部谷折れ線に沿って上記素材を折り曲げ、上記重ね合わせ面を上記底部領域から起立した素材に重ね合せることにより容器の形態を成形している。
【０００８】
また、上記園芸用容器の他の形態においては、上記側部山折れ線と上記側部谷折れ線とは、各上記角部において、隣り合う上記角部において隣接するように設けられ、上記底部谷折れ線と、隣り合う上記角部から延びる２本の上記側部山折れ線とにより囲まれた領域で第１側壁面が形成され、上記底部谷折れ線と、隣り合う上記角部から延びる２本の上記側部谷折れ線とにより囲まれた領域で第２側壁面が形成され、上記底部谷折れ線、上記側部山折れ線および上記側部谷折れ線に沿って上記素材を折り曲げ、上記重ね合わせ面を第１側壁面と第２側壁面との間に挟みこむことにより、上記底部領域から上記第１側壁面および上記第２側壁面を起立させている。
【０００９】
また、上記園芸用容器の他の形態においては、上記第１側壁面の外面と上記重ね合わせ面の外面とが固着されている。
【００１０】
また、上記園芸用容器の他の形態においては、上記底部領域は、正四角形、正六角形、または、正八角形の形状を有している。
【００１１】
また、上記園芸用容器の他の形態においては、上記素材は、生分解性材料である。
また、上記園芸用容器の他の形態においては、上記素材は、板紙である。
【００１２】
また、当該園芸容器は、貫通孔を有する。
【発明の効果】
【００１３】
この発明に基づいた園芸用容器によれば、展開した状態で円形形状である素材を用いて、容器としての形態を得ていることから、素材の継ぎ目領域がなく、容器としての信頼性を高めることができる。また、プレス装置等の組立て装置を用いて素材を折り曲げる場合であっても、素材が展開した状態で円形形状であることから、素材の方向性がなくなり、予め折り曲げのための罫線を設けることなく、組立て装置への位置決めを容易に行なうことが可能となり、園芸用容器の生産性の向上を図ることが可能となる。
【図面の簡単な説明】
【００１４】
【図１】実施の形態における園芸用容器の全体斜視図である。
【図２】実施の形態における園芸用容器の正面図である。
【図３】実施の形態における園芸用容器の平面図である。
【図４】実施の形態における園芸用容器の底面図である。
【図５】実施の形態における園芸用容器の展開状態を示す第１図である。
【図６】実施の形態における園芸用容器の展開状態を示す第２図である。
【図７】実施の形態における園芸用容器の展開状態を示す第３図である。
【図８】実施の形態における園芸用容器の重ね合せ部の拡大図である。
【図９】実施の形態における園芸用容器に植物の苗を植えた状態を示す図である。
【図１０】他の実施の形態における園芸用容器の展開状態を示す図である。
【図１１】他の実施の形態における園芸用容器の形態を示す斜視図である。
【図１２】さらに他の実施の形態における園芸用容器の展開状態を示す図である。
【図１３】さらに他の実施の形態における園芸用容器の形態を示す斜視図である。
【図１４】さらに他の実施の形態における重ね合せ部の拡大図である。
【図１５】さらに他の実施の形態における園芸用容器の形態を示す斜視図である。
【発明を実施するための形態】
【００１５】
以下、本発明の実施の形態における園芸用容器について、図を参照しながら説明する。なお、以下に説明する実施の形態において、個数、量などに言及する場合、特に記載がある場合を除き、本発明の範囲は必ずしもその個数、量などに限定されない。また、同一の部品、相当部品に対しては、同一の参照番号を付し、重複する説明は繰り返さない場合がある。
【００１６】
まず、図１から図４を参照した、本発明の実施の形態における園芸用容器の形態について説明する。この園芸用容器１００は、素材が生分解性材料からなる不織布である。略正八角形の底面１０１とこの底面１０１の各辺から立ち上がる第１側壁面１０２と第２側壁面１０３とを有している。第１側壁面１０２と第２側壁面１０３とは交互に配置され、第１側壁面１０２が内側に位置し、第２側壁面１０３が外側に位置している。全体としては、カップ状の形態を有しいている。
【００１７】
次に、図５から図８を参照して、上記形態を有する園芸用容器１００の成形について説明する。まず、図５を参照して、この園芸用容器１００は、展開した状態で円形形状の素材１００Ａを有している。この素材１００Ａは、上記したように、生分解性材料からなる不織布が用いられている。底部領域１０１は略正八角形の形状を有し、底部形状の輪郭に沿って底部谷折れ線Ｂ１を有している。正八角形の底部形状の各角部Ｃ１のそれぞれには、この角部Ｃ１から半径方向に延びる側部山折れ線Ｂ２と側部谷折れ線Ｂ３とを有している。側部山折れ線Ｂ２と側部谷折れ線Ｂ３とは、隣り合う各角部Ｃ１において隣接するように設けられている。
【００１８】
各角部Ｃ１、側部山折れ線Ｂ２および側部谷折れ線Ｂ３により囲まれた領域で、略三角形状の重ね合わせ面Ｓが形成されている。底部谷折れ線Ｂ１と、底部形状の隣接する角部Ｃ１から延びる２本の側部山折れ線Ｂ２とにより囲まれた領域で、略台形形状の第１側壁面１０２が形成されている。底部谷折れ線Ｂ１と、底部形状の隣接する角部Ｃ１から延びる２本の側部谷折れ線Ｂ３とにより囲まれた領域で、略台形形状の第２側壁面１０３が形成されている。その結果、第１側壁面１０２→重ね合わせ面Ｓ→第２側壁面１０３→重ね合わせ面Ｓ→第１側壁面１０２→重ね合わせ面Ｓ→第２側壁面１０３の順番で、各領域は形成されている。
【００１９】
底部谷折れ線Ｂ１、側部山折れ線Ｂ２および側部谷折れ線Ｂ３に沿って素材１００Ａを折り曲げ、重ね合わせ面Ｓを第１側壁面１０２と第２側壁面１０３との間に挟みこむことにより、底部領域１０１から第１側壁面１０２および第２側壁面１０３を起立させることで、本実施の形態における園芸用容器１００が得られる。図６から図７は、徐々に底部谷折れ線Ｂ１、側部山折れ線Ｂ２および側部谷折れ線Ｂ３に沿って素材１００Ａを折り曲げることで、容器の形態に近づく様子を示している。
【００２０】
図８の拡大図に示すように、本実施の形態においては、第１側壁面１０２が内側に位置し、第２側壁面１０３が外側に位置し、第１側壁面１０２と第２側壁面１０３とにより、重ね合わせ面Ｓが挟み込まれる。また、第１側壁面１０２の外面と重ね合わせ面Ｓの外面とが固着されている。固着手段としては、接着剤を用いた接着、素材同士の溶着、リベット等の固着部材を用いた固着、その他様々な固着手段の採用が可能である。なお、第２側壁面１０３と重ね合わせ面Ｓの外面とを固着しても良い。
【００２１】
図９は、上記構成からなる園芸用容器１００の中に植物５００と用土６００を入れた状態を示す。この園芸用容器１００は、素材１００Ａに生分解性材料からなる不織布が用いられていることから、このままの状態で地中に埋めることができる。素材１００Ａは、地中において時間経過ともに分解することから、環境に悪影響を与えず、また、植物５００の根の伸張および植物５００の育成を妨げることもない。
【００２２】
なお、上記園芸用容器１００の素材として、生分解性材料からなる不織布を用いた場合について説明したが、生分解性繊維からなる不織布と紙との組み合わせからなる素材、ラミネートフィルム（ポリ乳酸・生分解性フィルム）と紙との組み合わせからなる素材を用いることも可能である。なお、ここでの紙は、植物の根の生育に影響を与えない程度の薄い紙が好ましく、たとえば合成パルプ(樹脂繊維)混抄紙等が挙げられる。その他、生分解性材料を用いた素材であれば、環境に悪影響を与えず、また、素材が地中で分解されることから、植物の根は、自由に伸張して植物育成を妨げることはない。
【００２３】
また、ラミネートフィルム（ポリ乳酸・生分解性フィルム）と紙との組み合わせからなる素材を用いた園芸用容器の場合には、容器自体にある程度の剛性を持たせることができる。また、植物の根の生育をコントロールするために、園芸用容器に貫通孔を設けておくことも可能である。
【００２４】
また、従来は、園芸用容器として塩化ビニール等の軟質の樹脂材料を用い、利用後の廃棄処分に問題が生じることがあったが、生分解性材料を用いた素材であれば、廃棄の問題が生じることはない。さらに、生分解性材料からなる不織布を用いた素材、生分解性繊維からなる不織布と紙との組み合わせからなる素材は通気性・通水性を有することから、従来の通気性・通水性を有さない樹脂材料製の園芸用容器に比べ、植物の根に対する環境を改善し、根腐れ等の問題を解決することができる。
【００２５】
また、上記実施の形態における園芸用容器１００は、底部領域１０１が略正八角形の形状を有しているが、略正八角形の形状に限定されることなく、底部領域の形状として、略正多角形の形状を採用することが可能である。たとえば、図１０の展開図および図１１の折り曲げ後の成形された立体図に示すように、底部領域１０１が略正四角形の形状を有する園芸用容器２００（素材２００Ａ）や、図１２の展開図および図１３の折り曲げ後の成形された立体図に示すように、底部領域１０１が略正六角形の形状を有する園芸用容器３００（素材３００Ａ）の採用が可能である。
【００２６】
また、側部山折れ線Ｂ２と側部谷折れ線Ｂ３とは、隣り合う各角部Ｃ１において隣接するように設け、重ね合わせ面Ｓが向き合うように折り曲げる形態を示したが、各角部Ｃ１において、側部山折れ線Ｂ２と側部谷折れ線Ｂ３とが交互になるように側部山折れ線Ｂ２と側部谷折れ線Ｂ３とを設け、図１５に示すように、重ね合わせ面Ｓが同じ方向に折り曲げる形態の採用も可能である。
【００２７】
また、上記実施の形態における園芸用容器１００は、素材１００Ａに生分解性材料からなる不織布が用いられる結果、素材が柔らかいため、植物５００と用土６００を入れた状態での持ち運びが困難になる場合が考えられる。このような場合には、素材に板紙を用いて、図５に示す折れ線と同様の折り方を用いることで、図１５に示すような、比較的剛性のある園芸用容器４００を得ることができる。素材自体の大きさは若干大きめのサイズにしておく。
【００２８】
板紙としては、カップ用紙、カード紙、コートボール紙、中芯原紙、合成パルプ(樹脂繊維)混抄紙、その他生分解性材料からなる不織布が用いられた園芸用容器１００を保護する容器として実用可能な程度の強度を有する板紙であれば、どのような板紙であってもかまわない。また、素材に板紙を用いた園芸用容器４００においては、底部領域１０１に貫通孔１０１ｈを設けることも可能である。なお、植物の根の生育をコントロールするために、園芸用容器４００の側面部分に貫通孔を設けることも可能である。
【００２９】
この園芸用容器４００を、植物５００と用土６００を入れた園芸用容器１００を下から覆うように被せることで、園芸用容器１００の持ち運び時の不安を解消することができる。また、園芸用容器４００を外し、植物５００と用土６００を入れた園芸用容器１００を地中に植えた後は、園芸用容器４００を再利用すること、リサイクルごみとして再利用することが可能である。また、園芸用容器４００の形態も、底部領域が略正八角形の形態に限定ざれず、園芸用容器１００の形態にあわせて底部領域の形態を選択することが可能である。
【００３０】
以上、上記実施の形態における園芸用容器１００，２００，３００，４００によれば、展開した状態で円形形状である素材１００Ａ，２００Ａ，３００Ａを用いて、容器としての形態を得ていることから、素材の継ぎ目領域がなく、容器としての信頼性を高めることができる。
【００３１】
なお、上述した各折れ線（罫線）は、予め印刷等により表示しておくことは可能であるが、プレス装置を用いた場合には、素材が展開した状態で円形形状であることから、素材の方向性がなくなり、組立て装置への位置決めを容易に行なうことが可能となる。よって、各折れ線（罫線）を予め印刷等により表示しておかなくても、容易に上述した各折れ線（罫線）の沿った曲げ成形を行なうことが可能となる。プレス装置を用いた場合には、上述した各折れ線（罫線）は、予め素材に形成されているものではなく、園芸用容器の形態に折り曲げ成形された結果形成されるものとなる。
【００３２】
以上、今回開示された実施の形態は全ての点で例示であって制限的なものではないと考えられるべきである。本発明の範囲は特許請求の範囲によって示され、特許請求の範囲と均等の意味および範囲内での全ての変更が含まれることが意図される。
【符号の説明】
【００３３】
１００，２００，３００，４００  園芸用容器、１００Ａ，２００Ａ，３００Ａ  素材、１０１  底面、１０１ｈ  貫通孔、１０２  第１側壁面、１０３  第２側壁面、５００  植物、６００  用土、Ｂ１  底部谷折れ線、Ｂ２  側部山折れ線、Ｂ３  側部谷折れ線、Ｃ１  角部、Ｓ  重ね合わせ面。
【図１】
2010178639.tif 000003
【図２】
2010178639.tif 000004
【図３】
2010178639.tif 000005
【図４】
2010178639.tif 000006
【図５】
2010178639.tif 000007
【図６】
2010178639.tif 000008
【図７】
2010178639.tif 000009
【図８】
2010178639.tif 000010
【図９】
2010178639.tif 000011
【図１０】
2010178639.tif 000012
【図１１】
2010178639.tif 000013
【図１２】
2010178639.tif 000014
【図１３】
2010178639.tif 000015
【図１４】
2010178639.tif 000016
【図１５】
2010178639.tif 000017